(57)【特許請求の範囲】
【請求項１】
無線通信システムにおいて端末（ＵＥ）においてＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）で制御情報を獲得する方法であって、前記方法は、
サブフレーム上のＥＰＤＣＣＨの開始ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルのインデックスを決定することと、
前記ＥＰＤＣＣＨのＵＥ特定探索空間に対して復号を試みることと
を含み、
前記サブフレームがＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームである場合に、前記開始ＯＦＤＭシンボルのインデックスは、２と上位層パラメータの中で小さい値である、方法。
【請求項２】
前記サブフレームは、１つ又は２つのアンテナポートに設定される、請求項１に記載の方法。
【請求項３】
前記サブフレームがＮｏｎ−ＭＢＳＦＮサブフレームである場合に、前記開始ＯＦＤＭシンボルのインデックスは、前記上位層パラメータである、請求項１に記載の方法。
【請求項４】
前記サブフレームがＴＤＤ（Ｔｉｍｅ  Ｄｉｖｉｓｉｏｎ  Ｄｕｐｌｅｘｉｎｇ）の１番サブフレーム又は６番サブフレームである場合に、前記開始ＯＦＤＭシンボルのインデックスは、２と前記上位層パラメータの中で小さい値である、請求項１に記載の方法。
【請求項５】
前記サブフレームが前記１番サブフレーム及び前記６番サブフレーム以外のサブフレームである場合に、前記開始ＯＦＤＭシンボルのインデックスは、前記上位層パラメータである、請求項４に記載の方法。
【請求項６】
無線通信システムにおいて基地局（ＢＳ）においてＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）で制御情報を伝送する方法であって、前記方法は、
サブフレーム上のＥＰＤＣＣＨの開始ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルのインデックスを決定することと、
前記ＥＰＤＣＣＨのＵＥ特定探索空間に前記ＥＰＤＣＣＨを割り当てることと
を含み、
前記サブフレームがＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームである場合に、前記開始ＯＦＤＭシンボルのインデックスは、２と上位層パラメータの中で小さい値である、方法。
【請求項７】
前記サブフレームは、１つ又は２つのアンテナポートに設定される、請求項６に記載の方法。
【請求項８】
前記サブフレームがＮｏｎ−ＭＢＳＦＮサブフレームである場合に、前記開始ＯＦＤＭシンボルのインデックスは、前記上位層パラメータである、請求項６に記載の方法。
【請求項９】
前記サブフレームがＴＤＤ（Ｔｉｍｅ  Ｄｉｖｉｓｉｏｎ  Ｄｕｐｌｅｘｉｎｇ）の１番サブフレーム又は６番サブフレームである場合に、前記開始ＯＦＤＭシンボルのインデックスは、２と前記上位層パラメータの中で小さい値である、請求項６に記載の方法。
【請求項１０】
前記サブフレームが前記１番サブフレーム及び前記６番サブフレーム以外のサブフレームである場合に、前記開始ＯＦＤＭシンボルのインデックスは、前記上位層パラメータである、請求項９に記載の方法。
【請求項１１】
無線通信システムにおいてＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）で制御情報を獲得する端末（ＵＥ）であって、前記ＵＥは、
受信モジュールと、
プロセッサと
を備え、
前記プロセッサは、サブフレーム上でＥＰＤＣＣＨの開始ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルのインデックスを決定し、前記ＥＰＤＣＣＨのＵＥ特定探索空間に対して復号を試み、
前記サブフレームがＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームである場合に、前記開始ＯＦＤＭシンボルのインデックスは、２と上位層パラメータの中で小さい値である、ＵＥ。
【請求項１２】
無線通信システムにおいてＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）で制御情報を伝送する基地局（ＢＳ）であって、前記ＢＳは、
伝送モジュールと、
プロセッサと
を備え、
前記プロセッサは、サブフレーム上のＥＰＤＣＣＨの開始ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルのインデックスを決定し、前記ＥＰＤＣＣＨのＵＥ特定探索空間に前記ＥＰＤＣＣＨを割り当て、
前記サブフレームがＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームである場合に、前記開始ＯＦＤＭシンボルのインデックスは、２と上位層パラメータの中で小さい値である、ＢＳ。
【発明の詳細な説明】
【技術分野】
【０００１】
以下の説明は、無線通信システムにおいて制御情報の伝送／獲得方法及びそのための装置に関する。
【背景技術】
【０００２】
無線通信システムが音声やデータなどのような種々の通信サービスを提供するために広範囲に展開されている。一般に、無線通信システムは、可用のシステムリソース（帯域幅、伝送パワーなど）を共有してマルチユーザーとの通信を支援できる多重接続（ｍｕｌｔｉｐｌｅ  ａｃｃｅｓｓ）システムとなっている。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明は、制御情報の送受信方法及び装置に関し、特に、制御情報がＥ−ＰＤＣＣＨで伝送される場合に、Ｅ−ＰＤＣＣＨが伝送されるリソース領域の開始ＯＦＤＭシンボルの設定に関する。
【０００４】
本発明で達成しようとする技術的課題は、以上に言及している技術的課題に制限されるものではなく、言及していない別の技術的課題は、下の記載から、本発明の属する技術の分野における通常の知識を有する者には明確に理解されるであろう。
【課題を解決するための手段】
【０００５】
本発明の第１技術的な側面は、無線通信システムにおいて端末がＥ−ＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）で制御情報を獲得する方法であって、サブフレーム上の第１リソースブロックの集合において共通探索空間に対してブラインド復号を行うことと、前記サブフレーム上の第２リソースブロックの集合において端末特定探索空間に対してブラインド復号を行うことと、を含み、前記第１リソースブロックの集合において前記共通探索空間を含むＥ−ＰＤＣＣＨリソース領域の第１開始ＯＦＤＭシンボルと、前記第２リソースブロックの集合において前記端末特定探索空間を含むＥ−ＰＤＣＣＨリソース領域の第２開始ＯＦＤＭシンボルは、それぞれ個別に設定されたものである、制御情報獲得方法を提供する。
【０００６】
本発明の第２技術的な側面は、無線通信システムにおいて基地局がＥ−ＰＤＣＣＨで制御情報を伝送する方法であって、サブフレーム上の第１リソースブロックの集合において共通探索空間を割り当てることと、前記サブフレーム上の第２リソースブロックの集合において端末特定探索空間を割り当てることと、を含み、前記第１リソースブロックの集合において前記共通探索空間を含むＥ−ＰＤＣＣＨリソース領域の第１開始ＯＦＤＭシンボルと、前記第２リソースブロックの集合において前記端末特定探索空間を含むＥ−ＰＤＣＣＨリソース領域の第２開始ＯＦＤＭシンボルは、それぞれ個別に設定されたものである、制御情報伝送方法を提供する。
【０００７】
本発明の第３技術的な側面は、無線通信システムにおいてＥ−ＰＤＣＣＨで制御情報を獲得する端末装置であって、受信モジュールと、プロセッサと、を備え、前記プロセッサは、サブフレーム上の第１リソースブロックの集合において共通探索空間に対してブラインド復号を行い、前記サブフレーム上の第２リソースブロックの集合において端末特定探索空間に対してブラインド復号を行い、前記第１リソースブロックの集合において前記共通探索空間を含むＥ−ＰＤＣＣＨリソース領域の第１開始ＯＦＤＭシンボルと、前記第２リソースブロックの集合において前記端末特定探索空間を含むＥ−ＰＤＣＣＨリソース領域の第２開始ＯＦＤＭシンボルは、それぞれ個別に設定されたものである、端末装置を提供する。
【０００８】
本発明の第４技術的な側面は、無線通信システムにおいてＥ−ＰＤＣＣＨで制御情報を伝送する基地局装置であって、伝送モジュールと、プロセッサと、を備え、前記プロセッサは、サブフレーム上の第１リソースブロックの集合において共通探索空間を割り当て、前記サブフレーム上の第２リソースブロックの集合において端末特定探索空間を割り当て、前記第１リソースブロックの集合において前記共通探索空間を含むＥ−ＰＤＣＣＨリソース領域の第１開始ＯＦＤＭシンボルと、前記第２リソースブロックの集合において前記端末特定探索空間を含むＥ−ＰＤＣＣＨリソース領域の第２開始ＯＦＤＭシンボルは、それぞれ個別に設定されたものである、基地局装置を提供する。
【０００９】
本発明の第１乃至第２技術的な側面は、下記の事項の少なくとも一つを含んでもよい。
【００１０】
前記第１開始ＯＦＤＭシンボルのインデックスは４に固定されたものでよい。
【００１１】
前記第２開始ＯＦＤＭシンボルのインデックスは、サブフレームの種類又は上位層シグナリングにより伝達された値のうち少なくとも一つを用いて設定されてもよい。ここで、前記サブフレームが一般のサブフレームである場合に、前記第２開始ＯＦＤＭシンボルのインデックスは、前記上位層シグナリングにより伝達された値であってよい。また、前記サブフレームが特殊（ｓｐｅｃｉａｌ）サブフレーム又はＭＢＳＦＮ（Ｍｕｌｔｉｃａｓｔ−Ｂｒｏａｄｃａｓｔ  Ｓｉｎｇｌｅ  Ｆｒｅｑｕｅｎｃｙ  Ｎｅｔｗｏｒｋ）サブフレームのいずれか一つであり、前記サブフレームに含まれたリソースブロックの個数が１０よりも大きい場合に、前記第２開始ＯＦＤＭシンボルのインデックスは、２又は前記上位層シグナリングにより伝達された値の中で小さい値であってよい。また、前記サブフレームが特殊サブフレーム又はＭＢＳＦＮサブフレームのいずれか一つであり、前記サブフレームに含まれたリソースブロックの個数が１０よりも小さいか又は同一である場合に、前記第２開始ＯＦＤＭシンボルのインデックスは２であってもよい。
本願明細書は、例えば、以下の項目も提供する。
（項目１）
無線通信システムにおいて端末がＥ−ＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）で制御情報を獲得する方法であって、
サブフレーム上の第１リソースブロックの集合において共通探索空間に対してブラインド復号を行うことと、
前記サブフレーム上の第２リソースブロックの集合において端末特定探索空間に対してブラインド復号を行うことと、
を含み、
前記第１リソースブロックの集合において前記共通探索空間を含むＥ−ＰＤＣＣＨリソース領域の第１開始ＯＦＤＭシンボルと、前記第２リソースブロックの集合において前記端末特定探索空間を含むＥ−ＰＤＣＣＨリソース領域の第２開始ＯＦＤＭシンボルは、それぞれ個別に設定されたものである、制御情報獲得方法。
（項目２）
前記第１開始ＯＦＤＭシンボルのインデックスは、４に固定される、項目１に記載の制御情報獲得方法。
（項目３）
前記第２開始ＯＦＤＭシンボルのインデックスは、サブフレームの種類又は上位層シグナリングにより伝達された値のうち少なくとも一つを用いて設定される、項目１に記載の制御情報獲得方法。
（項目４）
前記サブフレームが一般のサブフレームである場合に、前記第２開始ＯＦＤＭシンボルのインデックスは、前記上位層シグナリングにより伝達された値である、項目３に記載の制御情報獲得方法。
（項目５）
前記サブフレームが特殊（ｓｐｅｃｉａｌ）サブフレーム又はＭＢＳＦＮ（Ｍｕｌｔｉｃａｓｔ−Ｂｒｏａｄｃａｓｔ  Ｓｉｎｇｌｅ  Ｆｒｅｑｕｅｎｃｙ  Ｎｅｔｗｏｒｋ）サブフレームのいずれか一つであり、前記サブフレームに含まれたリソースブロックの個数が１０よりも大きい場合に、前記第２開始ＯＦＤＭシンボルのインデックスは、２又は前記上位層シグナリングにより伝達された値の中で小さい値である、項目３に記載の制御情報獲得方法。
（項目６）
前記サブフレームが特殊サブフレーム又はＭＢＳＦＮサブフレームのいずれか一つであり、前記サブフレームに含まれたリソースブロックの個数が１０よりも小さいか又は同一である場合に、前記第２開始ＯＦＤＭシンボルのインデックスは２である、項目３に記載の制御情報獲得方法。
（項目７）
無線通信システムにおいて基地局がＥ−ＰＤＣＣＨで制御情報を伝送する方法であって、
サブフレーム上の第１リソースブロックの集合において共通探索空間を割り当てることと、
前記サブフレーム上の第２リソースブロックの集合において端末特定探索空間を割り当てることと、
を含み、
前記第１リソースブロックの集合において前記共通探索空間を含むＥ−ＰＤＣＣＨリソース領域の第１開始ＯＦＤＭシンボルと、前記第２リソースブロックの集合において前記端末特定探索空間を含むＥ−ＰＤＣＣＨリソース領域の第２開始ＯＦＤＭシンボルは、それぞれ個別に設定されたものである、制御情報伝送方法。
（項目８）
前記第１開始ＯＦＤＭシンボルのインデックスは、４に固定される、項目７に記載の制御情報伝送方法。
（項目９）
前記第２開始ＯＦＤＭシンボルのインデックスは、サブフレームの種類、又は上位層シグナリングにより伝達された値のうち少なくとも一つを用いて設定される、項目７に記載の制御情報伝送方法。
（項目１０）
前記サブフレームが一般のサブフレームである場合に、前記第２開始ＯＦＤＭシンボルのインデックスは、前記上位層シグナリングにより伝達された値である、項目９に記載の制御情報伝送方法。
（項目１１）
前記サブフレームが特殊（ｓｐｅｃｉａｌ）サブフレーム又はＭＢＳＦＮ（Ｍｕｌｔｉｃａｓｔ−Ｂｒｏａｄｃａｓｔ  Ｓｉｎｇｌｅ  Ｆｒｅｑｕｅｎｃｙ  Ｎｅｔｗｏｒｋ）サブフレームのいずれか一つであり、前記サブフレームに含まれたリソースブロックの個数が１０よりも大きい場合に、前記第２開始ＯＦＤＭシンボルのインデックスは、２又は前記上位層シグナリングにより伝達された値の中で小さい値である、項目９に記載の制御情報伝送方法。
（項目１２）
前記サブフレームが特殊サブフレーム又はＭＢＳＦＮサブフレームのいずれか一つであり、前記サブフレームに含まれたリソースブロックの個数が１０よりも小さいか又は同一である場合に、前記第２開始ＯＦＤＭシンボルのインデックスは２である、項目９に記載の制御情報伝送方法。
（項目１３）
無線通信システムにおいてＥ−ＰＤＣＣＨで制御情報を獲得する端末装置であって、
受信モジュールと、
プロセッサと、
を備え、
前記プロセッサは、サブフレーム上の第１リソースブロックの集合において共通探索空間に対してブラインド復号を行い、前記サブフレーム上の第２リソースブロックの集合において端末特定探索空間に対してブラインド復号を行い、前記第１リソースブロックの集合において前記共通探索空間を含むＥ−ＰＤＣＣＨリソース領域の第１開始ＯＦＤＭシンボルと、前記第２リソースブロックの集合において前記端末特定探索空間を含むＥ−ＰＤＣＣＨリソース領域の第２開始ＯＦＤＭシンボルは、それぞれ個別に設定されたものである、端末装置。
（項目１４）
無線通信システムにおいてＥ−ＰＤＣＣＨで制御情報を伝送する基地局装置であって、
伝送モジュールと、
プロセッサと、
を備え、
前記プロセッサは、サブフレーム上の第１リソースブロックの集合において共通探索空間を割り当て、前記サブフレーム上の第２リソースブロックの集合において端末特定探索空間を割り当て、前記第１リソースブロックの集合において前記共通探索空間を含むＥ−ＰＤＣＣＨリソース領域の第１開始ＯＦＤＭシンボルと、前記第２リソースブロックの集合において前記端末特定探索空間を含むＥ−ＰＤＣＣＨリソース領域の第２開始ＯＦＤＭシンボルは、それぞれ個別に設定されたものである、基地局装置。
【発明の効果】
【００１２】
本発明によれば、制御情報がＥ−ＰＤＣＣＨで伝送される場合に、Ｅ−ＰＤＣＣＨが伝送されるリソース領域の開始ＯＦＤＭシンボルを定義することによって、端末にとって曖昧さなくブラインド復号を行うことが可能になる。
【００１３】
本発明から得られる効果は、以上に言及した効果に制限されず、言及していない別の効果は、下の記載から、本発明の属する技術の分野における通常の知識を有する者には明確に理解されるであろう。
【図面の簡単な説明】
【００１４】
【図１】下りリンク無線フレームの構造を説明するための図である。
【図２】一つの下りリンクスロットのリソースグリッド（ｒｅｓｏｕｒｃｅ  ｇｒｉｄ）の一例を示す例示図である。
【図３】下りリンクサブフレームの構造を示す図である。
【図４】上りリンクサブフレームの構造を示す図である。
【図５】下りリンク制御チャネルが割り当てられる単位であるリソース要素グループ（ＲＥＧ）を説明する図である。
【図６】下りリンク制御チャネルが割り当てられる単位であるリソース要素グループ（ＲＥＧ）を説明する図である。
【図７】物理制御フォーマット指示子チャネル（ＰＣＦＩＣＨ）が伝送される方式を示す図である。
【図８】ＰＣＦＩＣＨ及び物理ＨＡＲＱ指示子チャネル（ＰＨＩＣＨ）の位置を示す図である。
【図９】ＰＨＩＣＨグループがマッピングされる下りリンクリソース要素位置を示す図である。
【図１０】各集合レベルでの探索空間を説明するための図である。
【図１１】本発明の実施例に係る開始ＯＦＤＭシンボル設定を説明するための図である。
【図１２】本発明に係る基地局装置及び端末装置の構成を示す図である。
【発明を実施するための形態】
【００１５】
以下の実施例は、本発明の構成要素及び特徴を所定の形態で結合したものである。各構成要素又は特徴は、別に明示しない限り、選択的なものとして考慮されてもよい。各構成要素又は特徴は、他の構成要素や特徴と結合しない形態で実施されることもあり。また、一部の構成要素及び／又は特徴は結合されて本発明の実施例を構成することもある。本発明の実施例で説明される動作の順序は変更可能である。ある実施例の一部の構成や特徴は、他の実施例に含まれてもよく、他の実施例の対応する構成又は特徴に代えてもよい。
【００１６】
本明細書では、本発明の実施例を、基地局と端末間におけるデータ送受信の関係を中心に説明する。ここで、基地局は、端末と直接に通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００１７】
すなわち、基地局を含む多数のネットワークノード（ｎｅｔｗｏｒｋ  ｎｏｄｅｓ）からなるネットワークにおいて、端末との通信のために行われる種々の動作は、基地局、又は基地局以外の他のネットワークノードにより行われるということは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。リレーは、Ｒｅｌａｙ  Ｎｏｄｅ（ＲＮ）、Ｒｅｌａｙ  Ｓｔａｔｉｏｎ（ＲＳ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に代えてもよい。
【００１８】
以下の説明で使われる特定用語は、本発明の理解を助けるために提供されたもので、これらの特定用語の使用は、本発明の技術的思想から逸脱することなく他の形態に変更されてもよい。
【００１９】
場合によっては、本発明の概念が曖昧になることを避けるために、公知の構造及び装置は省略されたり、各構造及び装置の核心機能を中心にしたブロック図の形式で示されることがある。また、本明細書全体を通じて同一の構成要素には同一の図面符号を付して説明する。
【００２０】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書でサポートされるとよい。すなわち、本発明の実施例において本発明の技術的思想を明確にするために説明しない段階又は部分は、上記の標準文書でサーポートすればよい。なお、本文書で開示している全ての用語は、上記の標準文書により説明可能である。
【００２１】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに利用可能である。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で実現可能である。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で実現可能である。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術で実現可能である。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（ＷｉｒｅｌｅｓｓＭＡＮ−ＯＦＤＭＡ  Ｒｅｆｅｒｅｎｃｅ  Ｓｙｓｔｅｍ）及び進展したＩＥＥＥ  ８０２．１６ｍ規格（ＷｉｒｅｌｅｓｓＭＡＮ−ＯＦＤＭＡ  Ａｄｖａｎｃｅｄ  ｓｙｓｔｅｍ）によって説明可能である。明確性のために、以下では、３ＧＰＰ  ＬＴＥ及びＬＴＥ−Ａシステムを中心にして説明するが、本発明の技術的思想はこれに制限されない。
【００２２】
図１は、３ＧＰＰ  ＬＴＥシステムで用いられる無線フレームの構造を示す図である。図１（ａ）を参照すると、１無線フレームは１０サブフレームを含み、１サブフレームは時間領域で２スロットを含む。１サブフレームを伝送する時間は、伝送時間間隔（Ｔｒａｎｓｍｉｓｓｉｏｎ  Ｔｉｍｅ  Ｉｎｔｅｒｖａｌ；ＴＴＩ）で定義される。例えば、１サブフレームは１ｍｓの長さを有し、１スロットは０．５ｍｓの長さを有することがある。１スロットは時間領域で複数個のＯＦＤＭシンボルを含むとよい。３ＧＰＰ  ＬＴＥシステムは、下りリンクでＯＦＤＭＡ方式を利用するので、ＯＦＤＭシンボルは１シンボル長（ｐｅｒｉｏｄ）を表す。１シンボルは上りリンクではＳＣ−ＦＤＭＡシンボル又はシンボル長と呼ばれることがある。リソースブロック（Ｒｅｓｏｕｒｃｅ  Ｂｌｏｃｋ；ＲＢ）はリソース割当単位で、１スロットで複数個の連続する副搬送波を含む。上記のような無線フレームの構造は例示にすぎない。そのため、１無線フレームに含まれるサブフレームの個数、１サブフレームに含まれるスロットの個数、又は１スロットに含まれるＯＦＤＭシンボルの個数は様々な方式で変更可能である。
【００２３】
図１（ｂ）は、タイプ２無線フレームの構造を例示する。タイプ２無線フレームは、２ハーフフレーム（ｈａｌｆ  ｆｒａｍｅ）で構成される。各ハーフフレームは、５サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）とで構成され、ここで、１サブフレームは２スロットで構成される。ＤｗＰＴＳは、端末での初期セル探索、同期化又はチャネル推定に使用される。ＵｐＰＴＳは、基地局でのチャネル推定と端末の上り伝送同期を取るのに用いられる。保護区間は、上りリンク及び下りリンク間に下りリンク信号の多重経路遅延により上りリンクで生じる干渉を除去するための区間である。
【００２４】
ここで、無線フレームの構造は例示に過ぎず、無線フレームに含まれるサブフレームの数、サブフレームに含まれるスロットの数、又はスロットに含まれるシンボルの数は様々に変更可能である。
【００２５】
図２は、下りリンクスロットにおけるリソースグリッド（ｒｅｓｏｕｒｃｅ  ｇｒｉｄ）を示す図である。同図で、１下りリンクスロットは時間領域で７個のＯＦＤＭシンボルを含み、１リソースブロック（ＲＢ）は周波数領域で１２個の副搬送波を含むとしたが、本発明はこれに制限されない。例えば、一般ＣＰ（ｎｏｒｍａｌ−Ｃｙｃｌｉｃ  Ｐｒｅｆｉｘ）では１スロットが７  ＯＦＤＭシンボルを含むが、拡張ＣＰ（ｅｘｔｅｎｄｅｄ−ＣＰ）では１スロットが６  ＯＦＤＭシンボルを含むことがある。リソースグリッド上のそれぞれの要素をリソース要素（ｒｅｓｏｕｒｃｅ  ｅｌｅｍｅｎｔ）と呼ぶ。１リソースブロックは１２×７個のリソース要素を含む。下りリンクスロットに含まれるリソースブロックの個数ＮＤＬは、下り伝送帯域幅による。上りリンクスロットの構造は下りリンクスロットの構造と同一であってよい。
【００２６】
図３は、下りリンクサブフレームの構造を示す図である。１サブフレーム内で１番目のスロットの先頭部の最大３個のＯＦＤＭシンボルは、制御チャネルが割り当てられる制御領域に該当する。残りＯＦＤＭシンボルは、物理下り共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。３ＧＰＰ  ＬＴＥシステムで用いられる下り制御チャネルには、例えば、物理制御フォーマット指示子チャネル（Ｐｈｙｓｉｃａｌ  Ｃｏｎｔｒｏｌ  Ｆｏｒｍａｔ  ＩｎｄｉｃａｔｏｒＣｈａｎｎｅｌ；ＰＣＦＩＣＨ）、物理下り制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｅｌ；ＰＨＩＣＨ）などがある。
【００２７】
ＰＣＦＩＣＨは、サブフレームの最初のＯＦＤＭシンボルで伝送され、サブフレーム内の制御チャネル伝送に使われるＯＦＤＭシンボルの個数に関する情報を含む。
【００２８】
ＰＨＩＣＨは、上り伝送の応答としてＨＡＲＱ  ＡＣＫ／ＮＡＣＫ信号を含む。
【００２９】
ＰＤＣＣＨで伝送される制御情報を、下りリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、上りリンク又は下りリンクスケジューリング情報を含んだり、任意の端末グループに対する上り伝送電力制御命令を含む。ＰＤＣＣＨは、下り共有チャネル（ＤＬ−ＳＣＨ）のリソース割当及び伝送フォーマット、上り共有チャネル（ＵＬ−ＳＣＨ）のリソース割当情報、ページングチャネル（ＰＣＨ）のページング情報、ＤＬ−ＳＣＨ上のシステム情報、ＰＤＳＣＨ上で伝送されるランダムアクセス応答（Ｒａｎｄｏｍ  Ａｃｃｅｓｓ  Ｒｅｓｐｏｎｓｅ）のような上位層制御メッセージのリソース割当、任意の端末グループ内の個別端末に対する伝送電力制御命令のセット、伝送電力制御情報、ＶｏＩＰ（Ｖｏｉｃｅ  ｏｖｅｒ  ＩＰ）の活性化などを含むとよい。。複数のＰＤＣＣＨが制御領域内で伝送され、端末は複数のＰＤＣＣＨをモニタリングすることもある。ＰＤＣＣＨは一つ以上の連続する制御チャネル要素（Ｃｏｎｔｒｏｌ  Ｃｈａｎｎｅｌ  Ｅｌｅｍｅｎｔ；ＣＣＥ）の組合せ（ａｇｇｒｅｇａｔｉｏｎ）で伝送される。ＣＣＥは、無線チャネルの状態に基づくコーディングレートでＰＤＣＣＨを提供するために使われる論理割当単位である。ＣＣＥは、複数個のリソース要素グループに対応する。ＰＤＣＣＨのフォーマットと利用可能なビット数は、ＣＣＥの個数とＣＣＥにより提供されるコーディングレート間の相関関係によって決定される。基地局は、端末に伝送されるＤＣＩによってＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者又は用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスキングされる。ＰＤＣＣＨが特定端末に対するものであれば、端末のｃｅｌｌ−ＲＮＴＩ（Ｃ−ＲＮＴＩ）識別子がＣＲＣにマスキングされてよい。又は、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）がＣＲＣにマスキングされてもよい。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）がＣＲＣにマスキングされてもよい。端末のランダムアクセスプリアンブルの伝送に対する応答であるランダムアクセス応答を表すために、ランダムアクセス−ＲＮＴＩ（ＲＡ−ＲＮＴＩ）がＣＲＣにマスキングされてもよい。
【００３０】
図４は、上りリンクサブフレームの構造を示す図である。上りリンクサブフレームは、周波数領域で制御領域とデータ領域とに区別できる。制御領域には上りリンク制御情報を含む物理上り制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザーデータを含む物理上り共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波特性を維持するために、一つの端末はＰＵＣＣＨとＰＵＳＣＨを同時に伝送しない。一つの端末のＰＵＣＣＨは、サブフレームにおいてリソースブロック対（ＲＢ  ｐａｉｒ）に割り当てられる。リソースブロック対に属するリソースブロックは、２スロットに対して互いに異なった副搬送波を占める。これを、ＰＵＣＣＨに割り当てられるリソースブロック対がスロット境界で周波数−ホッピング（ｆｒｅｑｕｅｎｃｙ−ｈｏｐｐｅｄ）するという。
【００３１】
ＤＣＩフォーマット
【００３２】
現在ＬＴＥ−Ａ（ｒｅｌｅａｓｅ  １０）によれば、ＤＣＩフォーマット０、１、１Ａ、１Ｂ、１Ｃ、１Ｄ、２、２Ａ、２Ｂ、２Ｃ、３、３Ａ、４が定義されている。ここで、ＤＣＩフォーマット０、１Ａ、３、３Ａは、後述するブラインド復号回数を減らすべく同一のメッセージサイズを有するように規定されている。このようなＤＣＩフォーマットは、伝送しようする制御情報の用途によって、ｉ）上りリンク承認に用いられるＤＣＩフォーマット０、４、ｉｉ）下りリンクスケジューリング割当に用いられるＤＣＩフォーマット１、１Ａ、１Ｂ、１Ｃ、１Ｄ、２、２Ａ、２Ｂ、２Ｃ、ｉｉｉ）電力制御命令のためのＤＣＩフォーマット３、３Ａに区別きる。
【００３３】
上りリンク承認に用いられるＤＣＩフォーマット０は、後述するキャリアアグリゲーションにおいて必要な搬送波オフセット（ｃａｒｒｉｅｒ  ｉｎｄｉｃａｔｏｒ）、ＤＣＩフォーマット０と１Ａを区別するのに用いられるオフセット（ｆｌａｇ  ｆｏｒ  ｆｏｒｍａｔ  ０／ｆｏｒｍａｔ  １Ａ  ｄｉｆｆｅｒｅｎｔｉａｔｉｏｎ）、上りリンクのＰＵＳＣＨ伝送において周波数ホッピングが用いられるか否かを知らせるホッピングフラグ（ｆｒｅｑｕｅｎｃｙ  ｈｏｐｐｉｎｇ  ｆｌａｇ）、端末がＰＵＳＣＨ伝送に用いるべきリソースブロック割当に関する情報（ｒｅｓｏｕｒｃｅ  ｂｌｏｃｋ  ａｓｓｉｇｎｍｅｎｔ）、変調及び符号化方式（ｍｏｄｕｌａｔｉｏｎ  ａｎｄ  ｃｏｄｉｎｇ  ｓｃｈｅｍｅ）、ＨＡＲＱプロセスと関連して初期伝送のためにバッファーを空にするのに用いられる新しいデータ指示子（ｎｅｗ  ｄａｔａ  ｉｎｄｉｃａｔｏｒ）、ＰＵＳＣＨのための伝送電力制御命令（ＴＰＣ  ｃｏｍｍａｎｄ  ｆｏｒ  ｓｃｈｅｄｕｌｅｄ  ｆｏｒ  ＰＵＳＣＨ）、ＤＭＲＳ（Ｄｅｍｏｄｕｌａｔｉｏｎ  ｒｅｆｅｒｅｎｃｅ  ｓｉｇｎａｌ）のための巡回シフト情報（ｃｙｃｌｉｃ  ｓｈｉｆｔ  ｆｏｒ  ＤＭＲＳ  ａｎｄ  ＯＣＣ  ｉｎｄｅｘ）、ＴＤＤ動作で必要な上りリンクインデックス（ＵＬ  ｉｎｄｅｘ）及びチャネル品質情報（Ｃｈａｎｎｅｌ  Ｑｕａｌｉｔｙ  Ｉｎｄｉｃａｔｏｒ）要求情報（ＣＳＩ  ｒｅｑｕｅｓｔ）などを含むようになっている。一方、ＤＣＩフォーマット０は、同期式ＨＡＲＱを用いることから、下りリンクスケジューリング割当に関するＤＣＩフォーマットとは違い、リダンダンシバージョン（ｒｅｄｕｎｄａｎｃｙ  ｖｅｒｓｉｏｎ）を含まない。搬送波オフセットは、クロス搬送波スケジューリングが用いられない場合にはＤＣＩフォーマットに含まれない。
【００３４】
ＤＣＩフォーマット４は、ＬＴＥ−Ａリリース１０で新たに追加されたもので、ＬＴＥ−Ａにおいて上り伝送に空間多重化が適用されるのを支援する。ＤＣＩフォーマット４は、ＤＣＩフォーマット０と比較して空間多重化のための情報をさらに含むので、より大きいメッセージサイズを有し、ＤＣＩフォーマット０に含まれる制御情報に追加の御情報をさらに含む。すなわち、ＤＣＩフォーマット４は、２番目の伝送ブロックのための変調及び符号化方式、多重アンテナ伝送のためのプリコーディング情報、サウンディング参照信号要請（ＳＲＳ  ｒｅｑｕｅｓｔ）情報をさらに含む。一方、ＤＣＩフォーマット４はＤＣＩフォーマット０よりも大きいサイズを有するので、ＤＣＩフォーマット０と１Ａを区別するオフセットは含まない。
【００３５】
下りリンクスケジューリング割当に関連したＤＣＩフォーマット１、１Ａ、１Ｂ、１Ｃ、１Ｄ、２、２Ａ、２Ｂ、２Ｃは、空間多重化を支援しない１、１Ａ、１Ｂ、１Ｃ、１Ｄと、空間多重化を支援する２、２Ａ、２Ｂ、２Ｃとに区別できる。
【００３６】
ＤＣＩフォーマット１Ｃは、コンパクト下りリンク割当であって、周波数連続的割当のみを支援し、他のフォーマットと比較して搬送波オフセット、リダンダンシバージョンを含まない。
【００３７】
ＤＣＩフォーマット１Ａは、下りリンクスケジューリング及びランダムアクセス手順のためのフォーマットである。ここには、搬送波オフセット、下りリンク分散型伝送が用いられるか否かを知らせる表示子、ＰＤＳＣＨリソース割当情報、変調及び符号化方式、リダンダンシバージョン、ソフトコンバイニングのために用いられるプロセッサを知らせるためのＨＡＲＱプロセッサ番号、ＨＡＲＱプロセスと関連して初期伝送のためにバッファーを空にするのに用いられる新しいデータオフセット、ＰＵＣＣＨのための伝送電力制御命令、ＴＤＤ動作で必要な上りリンクインデックスなどを含むようになっている。
【００３８】
ＤＣＩフォーマット１は、大部分の制御情報がＤＣＩフォーマット１Ａと略同様になっている。ただし、ＤＣＩフォーマット１Ａが連続的なリソース割当に関連するものであるに対し、ＤＣＩフォーマット１は不連続的なリソース割当を支援する。そのため、ＤＣＩフォーマット１はリソース割当ヘッダーをさらに含み、よって、リソース割当の柔軟性が増大することのトレードオフとして制御シグナリングオーバーヘッドは多少増加する。
【００３９】
ＤＣＩフォーマット１Ｂ、１Ｄは、ＤＣＩフォーマット１と比較してプリコーディング情報をさらに含むという点で共通する。ＤＣＩフォーマット１ＢはＰＭＩ確認を、ＤＣＩフォーマット１Ｄは下りリンク電力オフセット情報をそれぞれ含む。その他ＤＣＩフォーマット１Ｂ、１Ｄに含まれた制御情報は、ＤＣＩフォーマット１Ａのそれと殆ど一致する。
【００４０】
ＤＣＩフォーマット２、２Ａ、２Ｂ、２Ｃは、基本的にＤＣＩフォーマット１Ａに含まれた制御情報の大部分を含む上、空間多重化のための情報をさらに含む。それらの情報には、２番目の伝送ブロックに関する変調及び符号化方式、新しいデータオフセット、及びリダンダンシバージョンが該当する。
【００４１】
ＤＣＩフォーマット２は、閉ループ空間多重化を支援し、２Ａは開ループ空間多重化を支援する。両者ともプリコーディング情報を含む。ＤＣＩフォーマット２Ｂは、ビームフォーミングと結合されたデュアルレイヤ空間多重化を支援し、ＤＭＲＳのための巡回シフト情報をさらに含む。ＤＣＩフォーマット２ＣはＤＣＩフォーマット２Ｂの拡張として理解すればよく、８個のレイヤまで空間多重化を支援する。
【００４２】
ＤＣＩフォーマット３、３Ａは、前述した上りリンク承認及び下りリンクスケジューリング割当のためのＤＣＩフォーマットに含まれている伝送電力制御情報を補完、すなわち半−持続的（ｓｅｍｉ−ｐｅｒｓｉｓｔｅｎｔ）スケジューリングを支援するために用いられるとよい。端末当たり、ＤＣＩフォーマット３は１ビット、３Ａは２ビットの命令が用いられる。
【００４３】
上述のようなＤＣＩフォーマットのいずれか一つが一つのＰＤＣＣＨにて伝送され、複数のＰＤＣＣＨが制御領域内で伝送されてよい。端末は複数のＰＤＣＣＨをモニタリングすることがある。
【００４４】
下り制御チャネルの構成
【００４５】
下り制御チャネルが伝送される領域として、基本的には、それぞれのサブフレームの先頭３個のＯＦＤＭシンボルが利用可能であり、下り制御チャネルのオーバーヘッドによって１乃至３個のＯＦＤＭシンボルが用いられるとよい。下り制御チャネルのためのＯＦＤＭシンボルの個数を各サブフレームごとに調整するにはＰＣＦＩＣＨが用いられればよい。上り伝送に対する確認応答（肯定確認応答（ＡＣＫ）／否定確認応答（ＮＡＣＫ））を下りリンクを通じて提供するためにＰＨＩＣＨが用いられればよい。また、下りリンクのデータ伝送又は上りリンクのデータ伝送のための制御情報の伝送のためにＰＤＣＣＨが用いられればよい。
【００４６】
図５及び図６は、上記のような下り制御チャネルがそれぞれのサブフレームの制御領域でリソース要素グループ（Ｒｅｓｏｕｒｃｅ  Ｅｌｅｍｅｎｔ  Ｇｒｏｕｐ；ＲＥＧ）単位で割り当てられる例を示す。図５は、１個又は２個の伝送アンテナ構成を有するシステムに関するものであり、図６は、４個の伝送アンテナ構成を有するシステムに関するものである。図５及び図６に示すように、制御チャネルが割り当てられる基本的なリソース単位であるＲＥＧは、参照信号が割り当てられるリソース要素を除いて周波数領域で連接する４個のＲＥで構成される。下り制御チャネルのオーバーヘッドに基づいて特定個数のＲＥＧが下り制御チャネルの伝送に用いられるとよい。
【００４７】
ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）
【００４８】
全サブフレームのそれぞれごとに当該サブフレームのリソース割当情報などを提供するために、ＰＤＣＣＨをＯＦＤＭシンボルインデックス０乃至２の間で伝送すればよい。制御チャネルのオーバーヘッドによって、ＯＦＤＭシンボルインデックス０が用いられたり、ＯＦＤＭシンボルインデックス０及び１が用いられたり、ＯＦＤＭシンボルインデックス０乃至２が用いられたりすることがある。このように、制御チャネルが用いるＯＦＤＭシンボルの個数をサブフレームごとに変更可能であり、それに関する情報はＰＣＦＩＣＨで提供すればよい。そのため、ＰＣＦＩＣＨは全サブフレームのそれぞれごとに伝送されなければならない。
【００４９】
ＰＣＦＩＣＨを用いて３種類の情報を提供可能である。下記の表１は、ＰＣＦＩＣＨのＣＦＩ（Ｃｏｎｔｒｏｌ  Ｆｏｒｍａｔ  Ｉｎｄｉｃａｔｏｒ）を表す。ＣＦＩ＝１は、ＯＦＤＭシンボルインデックス０でＰＤＣＣＨが伝送されることを表し、ＣＦＩ＝２は、ＯＦＤＭシンボルインデックス０及び１でＰＤＣＣＨが伝送されることを表し、ＣＦＩ＝３は、ＯＦＤＭシンボルインデックス０乃至２でＰＤＣＣＨが伝送されることを表す。
【００５０】
【表１】
0005745182.tif 000002
【００５１】
ＰＣＦＩＣＨで伝送される情報は、システム帯域幅（ｓｙｓｔｅｍ  ｂａｎｄｗｉｄｔｈ）によって異なるように定義されてもよい。例えば、システムの帯域幅が特定臨界値よりも小さい場合、ＣＦＩ＝１、２、３はそれぞれ、２、３、４個のＯＦＤＭシンボルがＰＤＣＣＨのために用いられることを表してもよい。
【００５２】
図７は、ＰＣＦＩＣＨが伝送される方式を示す図である。図７に示すＲＥＧは、４個の副搬送波で構成されており、ＲＳ（参照信号）を除外したデータ副搬送波でのみ構成されており、一般に送信ダイバーシティ（ｔｒａｎｓｍｉｔ  ｄｉｖｅｒｓｉｔｙ）技法が適用される。また、ＲＥＧの位置は、セル間に干渉を与えないようにセルごとに（すなわち、セル識別子によって）周波数シフトされてもよい。さらに、ＰＣＦＩＣＨは常にサブフレームの最初のＯＦＤＭシンボル（ＯＦＤＭシンボルインデックス０）で伝送される。これにより、受信端ではサブフレームを受信する時、まずＰＣＦＩＣＨの情報を確認してＰＤＣＣＨが伝送されるＯＦＤＭシンボルの個数を把握し、それに基づいてＰＤＣＣＨにて伝送される制御情報を受信することができる。
【００５３】
ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）
【００５４】
図８は、特定帯域幅で一般的に適用されるＰＣＦＩＣＨ及びＰＨＩＣＨチャネルの位置を示す図である。ＰＨＩＣＨにて上りリンクデータ伝送に対するＡＣＫ／ＮＡＣＫ情報が伝送される。一つのサブフレームにおいて複数個のＰＨＩＣＨグループが作られ、一つのＰＨＩＣＨグループには複数個のＰＨＩＣＨが存在する。したがって、一つのＰＨＩＣＨグループには複数個の端末に対するＰＨＩＣＨチャネルが含まれる。
【００５５】
図８に示すように、複数個のＰＨＩＣＨグループにおいて各端末に対するＰＨＩＣＨ割当は、ＰＵＳＣＨリソース割当（ｒｅｓｏｕｒｃｅ  ａｌｌｏｃａｔｉｏｎ）の最低の物理リソースブロック（Ｐｈｙｓｉｃａｌ  Ｒｅｓｏｕｒｃｅ  Ｂｌｏｃｋ；ＰＲＢ）インデックス（ｌｏｗｅｓｔ  ＰＲＢ  ｉｎｄｅｘ）と、上りリンク承認（ｇｒａｎｔ）ＰＤＣＣＨで伝送される復調参照信号（Ｄｅｍｏｄｕｌａｔｉｏｎ  ＲＳ；ＤＭＲＳ）のための巡回シフト（Ｃｙｃｌｉｃ  Ｓｈｉｆｔ）インデックスを用いてなされる。ＤＭＲＳは、上りリンク参照信号であり、上りリンクデータの復調のためのチャネル推定のために上り伝送と共に提供される信号である。また、ＰＨＩＣＨリソースは、
【化１】
0005745182.tif 000003
のようなインデックス対（ｉｎｄｅｘ  ｐａｉｒ）により指示され、このとき、
【化２】
0005745182.tif 000004
はＰＨＩＣＨグループ番号（ＰＨＩＣＨ  ｇｒｏｕｐ  ｎｕｍｂｅｒ）を意味し、
【化３】
0005745182.tif 000005
は、当該ＰＨＩＣＨグループ内での直交シーケンスインデックス（ｏｒｔｈｏｇｏｎａｌ  ｓｅｑｕｅｎｃｅ  ｉｎｄｅｘ）を意味する。
【化４】
0005745182.tif 000006
は、下記の式１のように定義される。
【００５６】
【数１】
0005745182.tif 000007
【００５７】
上記の式１で、
【化５】
0005745182.tif 000008
は、ＰＨＩＣＨと関連した上り伝送において用いられたＤＭＲＳに適用される巡回シフトであり、当該ＰＵＳＣＨ伝送と関連した伝送ブロック（ＴＢ）に対する最も最近の上りリンク承認制御情報（例えば、ＤＣＩフォーマット０又は４）の「ｃｙｃｌｉｃ  ｓｈｉｆｔ  ｆｏｒ  ＤＭＲＳ」フィールドの値にマッピングされる。例えば、最も最近の上りリンク承認ＤＣＩフォーマットの「ｃｙｃｌｉｃ  ｓｈｉｆｔ  ｆｏｒ  ＤＭＲＳ」フィールドは３ビットサイズを有してよく、このフィールドが「０００」値を有すると、
【化６】
0005745182.tif 000009
は、「０」値を有するように設定されるとよい。
【００５８】
上記の式１で、
【化７】
0005745182.tif 000010
は、ＰＨＩＣＨ変調に対して用いられる拡散因子サイズ（ｓｐｒｅａｄｉｎｇ  ｆａｃｔｏｒ  ｓｉｚｅ）である。
【化８】
0005745182.tif 000011
は、当該ＰＵＳＣＨ伝送の最初のスロットにおいて最低のＰＲＢインデックスである。
【化９】
0005745182.tif 000012
は、ＴＤＤシステムにおいて特別な場合（ＵＬ／ＤＬ設定が０に設定され、サブフレームｎ＝４又は９でＰＵＳＣＨ伝送がある場合）にのみ１値を有し、その他の場合には０値を有する。
【化１０】
0005745182.tif 000013
は、上位層によって設定されたＰＨＩＣＨグループの個数であり、下記の式２のように定義される。
【００５９】
【数２】
0005745182.tif 000014
【００６０】
上記の式２で、
【化１１】
0005745182.tif 000015
は、物理放送チャネル（Ｐｈｙｓｉｃａｌ  Ｂｒｏａｄｃａｓｔ  Ｃｈａｎｎｅｌ；ＰＢＣＨ）で伝送されるＰＨＩＣＨリソースの量に関する情報であり、
【化１２】
0005745182.tif 000016
は、２ビットサイズを有し、
【化１３】
0005745182.tif 000017
で表現される。上記の式２で
【化１４】
0005745182.tif 000018
は、下りリンクで設定されるリソースブロックの個数である。
【００６１】
また、既存の３ＧＰＰ  ＬＴＥリリース−８／９で定義される直交シーケンスの例は、下記の表２の通りである。
【００６２】
【表２】
0005745182.tif 000019
【００６３】
図９は、ＰＨＩＣＨグループがマッピングされる下りリンクリソース要素の位置を示す図である。ＰＨＩＣＨグループは、ＰＨＩＣＨ区間（ｄｕｒａｔｉｏｎ）によって、図９に示すように、一つのサブフレーム内で異なった時間領域（すなわち、異なったＯＳ（ＯＦＤＭ  Ｓｙｍｂｏｌ））上で構成されてもよい。
【００６４】
ＰＤＣＣＨプロセシング
【００６５】
ＰＤＣＣＨをＲＥにマッピングする時、連続した論理割当単位である制御チャネル要素（ＣＣＥ）が用いられる。１個のＣＣＥは複数（例えば、９個）のリソース要素グループ（ＲＥＧ）を含み、１個のＲＥＧは、参照信号（ＲＳ）を除外した状態で隣接する４個のＲＥで構成される。
特定のＰＤＣＣＨのために必要なＣＣＥの個数は、制御情報のサイズであるＤＣＩペイロード、セル帯域幅、チャネル符号化率などによって異なってくる。具体的に、特定のＰＤＣＣＨのためのＣＣＥの個数は、下記の表３のように、ＰＤＣＣＨフォーマットによって定義可能である。
【００６６】
【表３】
0005745182.tif 000020
【００６７】
前述した通り、ＰＤＣＣＨには４種類のフォーマットのいずれか一フォーマットを利用できるが、そのフォーマットは端末に知らせられない。そのため、端末にとってはＰＤＣＣＨフォーマットを知っていないまま復号をしなければならない。これをブラインド復号という。ただし、端末が下りリンクに用いられる可能な全ＣＣＥを各ＰＤＣＣＨフォーマットに対して復号することは大きな負担となるため、スケジューラに対する制約と復号試み回数を考慮して探索空間（Ｓｅａｒｃｈ  Ｓｐａｃｅ）を定義する。
【００６８】
すなわち、探索空間は、集合レベル（Ａｇｇｒｅｇａｔｉｏｎ  Ｌｅｖｅｌ）上で端末が復号を試みるべきＣＣＥからなる候補ＰＤＣＣＨの集合である。ここで、集合レベル及びＰＤＣＣＨ候補の数は、下記の表４のように定義可能である。
【００６９】
【表４】
0005745182.tif 000021
【００７０】
上記の表４からわかるように、４種類の集合レベルが存在するので、端末は各集合レベルによって複数個の探索空間を有するようになる。また、表４に表すように、探索空間は、端末特定探索空間（ＵＥ−ｓｐｅｃｉｆｉｃ  Ｓｅａｒｃｈ  Ｓｐａｃｅ、ＵＳＳ）と共通探索空間（Ｃｏｍｍｏｎ  Ｓｅａｒｃｈ  Ｓｐａｃｅ、ＣＳＳ）とに区別できる。端末特定探索空間は、特定の端末のためのもので、各端末は端末特定探索空間をモニタリングして（可能なＤＣＩフォーマットによってＰＤＣＣＨ候補集合に対して復号を試みて）、ＰＤＣＣＨにマスキングされているＲＮＴＩ及びＣＲＣを確認し、有効な場合、制御情報を獲得すればいい。
【００７１】
共通探索空間は、システム情報に対する動的スケジューリングやページングメッセージなどを含め、複数個の端末又は全端末がＰＤＣＣＨを受信する必要がある場合のためのものである。ただし、共通探索空間は、リソース運用上、特定端末のためのものとして用いられてもよい。また、共通探索空間は端末特定探索空間とオーバーラップすることもある。
【００７２】
上記の探索空間は具体的に下記の式３により決定されるとよい。
【００７３】
【数３】
0005745182.tif 000022
【００７４】
ここで、
【化１５】
0005745182.tif 000023
は集合レベル、
【化１６】
0005745182.tif 000024
はＲＮＴＩ及びサブフレーム番号ｋにより決定される変数、
【化１７】
0005745182.tif 000025
はＰＤＣＣＨ候補数を表す。
【化１８】
0005745182.tif 000026
は、キャリアアグリゲーションが適用された場合に
【化１９】
0005745182.tif 000027
であり、そうでない場合は
【化２０】
0005745182.tif 000028
【化２１】
0005745182.tif 000029
はＰＤＣＣＨ候補数である。また、
【化２２】
0005745182.tif 000030
はｋ番目のサブフレームで制御領域の全体ＣＣＥ個数を表し、
【化２３】
0005745182.tif 000031
は各ＰＤＣＣＨ候補において個別ＣＣＥを指定する因子を表し、
【化２４】
0005745182.tif 000032
である。共通探索空間において、
【化２５】
0005745182.tif 000033
は常に０と決定される。
【００７５】
図１０は、上記の式３によって定義できる各集合レベルでの端末特定探索空間（陰影部分）を示す。ここで、キャリアアグリゲーションは適用されておらず、また、
【化２６】
0005745182.tif 000034
は、説明の便宜のために３２個とした。
【００７６】
図１０の（ａ）、（ｂ）、（ｃ）、（ｄ）はそれぞれ、集合レベル１、２、４、８の場合を例示しており、数字はＣＣＥ番号を表す。図１０で、各集合レベルにおいて探索空間の開始ＣＣＥは、上述した通り、ＲＮＴＩ及びサブフレーム番号ｋで決定されるが、一つの端末に対して同一のサブフレーム内でモジューロ関数と
【化２７−１】
0005745182.tif 000035
によって集合レベルごとに互いに異なるように決定されることがあり、
【化２７−２】
0005745182.tif 000036
によって常に集合レベルの倍数のみと決定される。ここで、
【化２８】
0005745182.tif 000037
は例示的にＣＣＥ番号１８と前提された。開始ＣＣＥから端末は、当該集合レベルによって決定されるＣＣＥ単位で順次に復号を試みるようになる。例えば、図１０の（ｂ）で、端末は、開始ＣＣＥであるＣＣＥ番号４から集合レベルによって２個のＣＣＥ単位で復号を試みる。
【００７７】
上述した通り、端末は探索空間に対して復号を試みるが、この復号試みの回数は、ＤＣＩフォーマット及びＲＲＣシグナリングによって指示される伝送モード（Ｔｒａｎｓｍｉｓｓｉｏｎ  ｍｏｄｅ）によって決定される。キャリアアグリゲーションが適用されない場合、端末は共通探索空間に対してＰＤＣＣＨ候補数６個のそれぞれに対して２種類のＤＣＩサイズ（ＤＣＩフォーマット０／１Ａ／３／３Ａ、及びＤＣＩフォーマット１Ｃ）を考慮するので、最大１２回の復号試みが必要である。端末特定探索空間に対しては、ＰＤＣＣＨ候補数（６＋６＋２＋２＝１６）に対して２種類のＤＣＩサイズを考慮するので、最大３２回の復号試みが必要である。したがって、キャリアアグリゲーションが適用されない場合、最大４４回の復号試みが必要である。
【００７８】
一方、キャリアアグリゲーションが適用される場合は、下りリンクリソース（構成搬送波）数だけの端末特定探索空間とＤＣＩフォーマット４のための復号が追加されるため、最大復号回数はさらに増加するようになる。
【００７９】
上述した既存ＬＴＥ／ＬＴＥ−Ａシステムにおいて全ての端末はＰＣＦＩＣＨにより指示されるリソース上で伝送されるＰＤＣＣＨに基づいてＤＣＩを受信したが、ＬＴＥリリース１１以上のシステムでは、ＲＲＨ（Ｒｅｍｏｔｅ  Ｒａｄｉｏ  Ｈｅａｄ）のような様々なセルデプロイメント（ｃｅｌｌ  ｄｅｐｌｏｙｍｅｎｔ）シナリオ及び端末のフィードバックベースの閉ループビームフォーミング（ｃｌｏｓｅｄ−ｌｏｏｐ  ｂｅａｍｆｏｒｍｉｎｇ）のようなＭＩＭＯ（Ｍｕｌｔｉｐｌｅ  Ｉｎｐｕｔ  Ｍｕｌｔｉｐｌｅ  Ｏｕｔｐｕｔ）を考慮して、新しい構造と伝送モード（ｔｒａｎｓｍｉｓｓｉｏｎ  ｍｏｄｅ）で動作する新しいＰＤＣＣＨをＰＤＳＣＨ領域に割り当てる方案が議論されている。以下では、このように新しく定義されるＰＤＣＣＨをＥ−ＰＤＣＣＨ、既存のＰＤＣＣＨをレガシー（ｌｅｇａｃｙ）ＰＤＣＣＨ又はＰＤＣＣＨと言及するものとする。
【００８０】
レガシーＰＤＣＣＨは、下りリンクサブフレームの最初のＯＦＤＭシンボルであるＯＦＤＭシンボルインデックス＃０から、当該搬送波（ｃａｒｒｉｅｒ）の下りリンク帯域幅
【化２９】
0005745182.tif 000038
によって、
【化３０】
0005745182.tif 000039
の場合は４番目ＯＦＤＭシンボル（ＯＦＤＭシンボルインデックス＃３）まで伝送され、
【化３１】
0005745182.tif 000040
の場合は３番目ＯＦＤＭシンボル（ＯＦＤＭシンボルインデックス＃２）まで伝送される。また、レガシーＰＤＣＣＨは、システム帯域幅の他、下りリンクサブフレームのタイプ（一般（ｎｏｒｍａｌ）サブフレーム、ＭＢＳＦＮ（Ｍｕｌｔｉｃａｓｔ−Ｂｒｏａｄｃａｓｔ  Ｓｉｎｇｌｅ  Ｆｒｅｑｕｅｎｃｙ  Ｎｅｔｗｏｒｋ）サブフレーム、特殊（ｓｐｅｃｉａｌ）サブフレームなど）及びＰＨＩＣＨ持続区間（ｄｕｒａｔｉｏｎ）などによってもその範囲を様々に設定可能であり、レガシーＰＤＣＣＨの範囲を設定する設定値であるＣＦＩ値は、毎下りリンクサブフレームのＰＣＦＩＣＨで端末にシグナリングされる。ＰＣＦＩＣＨで伝送されるＣＦＩ値によるＰＤＣＣＨの設定範囲は、下記の表５のように決定される。ただし、表６のようにＰＢＣＨにて設定されるＰＨＩＣＨ持続区間は、ＰＤＣＣＨ範囲の下限（ｌｏｗｅｒ  ｌｉｍｉｔ）を決定する。これにより、下りリンク帯域幅が
【化３２】
0005745182.tif 000041
であり、拡張ＰＨＩＣＨ持続区間が設定されると、端末は、ＣＦＩ値が表６の拡張の場合に該当するＰＨＩＣＨ持続区間と同一であると仮定して動作するように定義される。
【００８１】
【表５】
0005745182.tif 000042
【００８２】
【表６】
0005745182.tif 000043
【００８３】
上述した通り、既存のＬＴＥ／ＬＴＥ−Ａシステムにおいて、ＰＤＣＣＨが伝送し始まる開始ＯＦＤＭシンボルは、サブフレームの最初のＯＦＤＭシンボル（ＯＦＤＭシンボルインデックス＃０）であり、その範囲／サイズはサブフレームのタイプ（種類）、ＰＨＩＣＨ持続区間などによって決定された。Ｅ−ＰＤＣＣＨが導入される場合、Ｅ−ＰＤＣＣＨが伝送され得るリソース領域が始まる開始ＯＦＤＭシンボルインデックスは、搬送波（ｃａｒｒｉｅｒ）タイプ、既存の制御チャネル又はＥ−ＰＤＣＣＨ導入に関連した新しい制御チャネル（例えば、Ｅ−ＰＨＩＣＨ、Ｅ−ＰＣＦＩＣＨなど）伝送の有無などによって異なってくることがある。そのため、端末のＥ−ＰＤＣＣＨ受信のために、Ｅ−ＰＤＣＣＨが伝送され得るリソース領域が始まる開始ＯＦＤＭシンボル（シンボルインデックス）が定義される必要がある。以下では、このような必要に応じた開始ＯＦＤＭシンボル（シンボルインデックス）を設定する方法について説明する。
【００８４】
実施例１
【００８５】
Ｅ−ＰＤＣＣＨの開始ＯＦＤＭシンボルは、端末特定（ＵＥ−ｓｐｅｃｉｆｉｃ）又はセル特定（ｃｅｌｌ−ｓｐｅｃｉｆｉｃ）上位層シグナリング（ｈｉｇｈｅｒ  ｌａｙｅｒ  ｓｉｇｎａｌｉｎｇ）により伝送される上位層パラメータ（ｐａｒａｍｅｔｅｒ）、及び当該Ｅ−ＰＤＣＣＨが伝送される下りリンクサブフレームタイプの関数により決定可能である。
【００８６】
ここで、Ｅ−ＰＤＣＣＨの開始ＯＦＤＭシンボルは、端末特定又はセル特定ＲＲＣシグナリングにより伝送されるＲＲＣパラメータ「ｓｔａｒｔＯＦＤｍｓｙｍｂｏｌ」（当該パラメータの名称は例示的なものである）が用いられてよく、その値は、ｉ）
【化３３】
0005745182.tif 000044
の場合、ＯＦＤＭシンボルインデックス＃０、＃２、＃３、＃４、ｉｉ）
【化３４】
0005745182.tif 000045
の場合、ＯＦＤＭシンボルインデックス＃０、＃１、＃２、＃３のいずれか一つであればよい。より詳しくは、「ｓｔａｒｔＯＦＤｍｓｙｍｂｏｌ」は、下記の表７のように設定されるとよい。
【００８７】
【表７】
0005745182.tif 000046
【００８８】
例えば、「ｓｔａｒｔＯＦＤｍｓｙｍｂｏｌ」設定が３の場合に、下りリンク帯域幅が１０ＲＢよりも大きい場合、及び小さいか又は同一である場合両方とも、「ｓｔａｒｔＯＦＤｍｓｙｍｂｏｌ」は０の値を有することとなる。特に、この場合は、ＬＴＥリリース１１以降で定義できる新しい搬送波（Ｎｅｗ  Ｃａｒｒｉｅｒ）タイプに適用可能である。
【００８９】
このように上位層シグナリングにより設定された「ｓｔａｒｔＯＦＤｍｓｙｍｂｏｌ」値による実際Ｅ−ＰＤＣＣＨ開始ＯＦＤＭシンボルは、それぞれのシステム帯域幅とサブフレームタイプによって、下記の表８のように設定可能である。
【００９０】
【表８】
0005745182.tif 000047
【００９１】
上記の表８を例に挙げて説明すれば、Ｅ−ＰＤＣＣＨが伝送されるサブフレームが一般のサブフレームである場合、下りリンク帯域幅に関係なく、開始ＯＦＤＭシンボルインデックスは、上位層シグナリングにより伝達される値である、「ｓｔａｒｔＯＦＤｍｓｙｍｂｏｌ」に設定可能である。また、Ｅ−ＰＤＣＣＨが伝送されるサブフレームが特殊サブフレーム又はＭＢＳＦＮサブフレームであり、下りリンク帯域幅が１０ＲＢよりも大きい場合、２又は「ｓｔａｒｔＯＦＤｍｓｙｍｂｏｌ」のうち小さい値に設定可能である。この場合、下りリンク帯域幅が１０ＲＢよりも小さいか同一の場合では開始ＯＦＤＭシンボルインデックスは２に設定可能である。
【００９２】
他の例示として、サブフレームのタイプによって開始ＯＦＤＭシンボルを設定するパラメータがそれぞれ伝送されてもよい。
【００９３】
例えば、フレーム構造タイプ１の場合、開始ＯＦＤＭシンボル設定パラメータ（「ｓｔａｒｔＯＦＤｍｓｙｍｂｏｌ」）が、Ｎｏｎ−ＭＢＳＦＮサブフレームの開始ＯＦＤＭシンボル設定パラメータ（「ｓｔａｒｔＯＦＤｍｓｙｍｂｏｌＮｏｎＭＢＳＦＮ」）とＭＢＳＦＮサブフレームの開始ＯＦＤＭシンボル設定パラメータ（「ｓｔａｒｔＯＦＤｍｓｙｍｂｏｌＭＢＳＦＮ」）とに分けてそれぞれ設定されるようにしてもよい。この場合、Ｎｏｎ−ＭＢＳＦＮサブフレームのＥ−ＰＤＣＣＨ開始ＯＦＤＭシンボルインデックスは、上記のＲＲＣパラメータ「ｓｔａｒｔＯＦＤｍｓｙｍｂｏｌＮｏｎＭＢＳＦＮ」により決定され、ＭＢＳＦＮサブフレームのＥ−ＰＤＣＣＨ開始ＯＦＤＭシンボルインデックスは「ｓｔａｒｔＯＦＤｍｓｙｍｂｏｌＭＢＳＦＮ」により決定されればよい。
【００９４】
また、フレーム構造タイプ２の場合、開始ＯＦＤＭシンボル設定パラメータが、Ｎｏｎ−ＭＢＳＦＮサブフレーム、ノーマルサブフレーム、特殊サブフレームに分けて３種類のタイプの下りリンクサブフレームに対してそれぞれ設定されてもよい。すなわち、開始ＯＦＤＭシンボルインデックスが、ＭＢＳＦＮサブフレームについては「ｓｔａｒｔＯＦＤｍｓｙｍｂｏｌＭＢＳＦＮ」により設定され、Ｎｏｎ−ＭＢＳＦＮサブフレームについては、ノーマル下りリンクサブフレームならば「ｓｔａｒｔＯＦＤｍｓｙｍｂｏｌｎｏｒｍａｌ」により、特殊サブフレームならば「ｓｔａｒｔＯＦＤｍｓｙｍｂｏｌｓｐｅｃｉａｌ」によりそれぞれ設定されてよい。
【００９５】
上記の表８では開始ＯＦＤＭシンボルのために１つのＲＲＣパラメータ（「ｓｔａｒｔＯＦＤｍｓｙｍｂｏｌ」）を設定したが、「ｓｔａｒｔＯＦＤｍｓｙｍｂｏｌ１」と「ｓｔａｒｔＯＦＤｍｓｙｍｂｏｌ２」をそれぞれ別に設定し、それぞれのサブフレーム別に、下記の表９のように２つのパラメータの中で適用する値をテーブルマッピング（ｔａｂｌｅ  ｍａｐｐｉｎｇ）の形態で設定してもよい。
【００９６】
【表９】
0005745182.tif 000048
【００９７】
上述した表８及び表９のような場合、Ｅ−ＰＤＣＣＨが伝送される搬送波を通じてレガシー（ｌｅｇａｃｙ）ＰＨＩＣＨが伝送されると、上位層により設定されたＰＨＩＣＨ持続区間が当該Ｅ−ＰＤＣＣＨの開始ＯＦＤＭシンボルインデックスの下限を提供できる。すなわち、ノーマル（ｎｏｒｍａｌ）ＰＨＩＣＨ持続区間であれば、ＯＦＤＭシンボルインデックス＃１からＥ−ＰＤＣＣＨが伝送されるとよく、拡張（ｅｘｔｅｎｄｅｄ）ＰＨＩＣＨ持続区間であれば、上記の表２のように、サブフレームタイプによってそれぞれＯＦＤＭシンボルインデックス＃２又は＃３からＥ−ＰＤＣＣＨが伝送されるとよい。
【００９８】
又は、Ｅ−ＰＤＣＣＨ開始シンボルは、ＰＨＩＣＨ持続区間に影響を受けず、上位層設定パラメータである「ｓｔａｒｔＯＦＤｍｓｙｍｂｏｌ」とサブフレームタイプによって、上記の表８又は表９のみに従って決定されてもよい。
【００９９】
実施例２
【０１００】
実施例２ではＥ−ＰＤＣＣＨ開始ＯＦＤＭシンボルを特定位置に固定する方法が提示される。Ｅ−ＰＤＣＣＨ開始ＯＦＤＭシンボル位置は、搬送波タイプによって、レガシーＰＤＣＣＨが存在する後方互換搬送波と、レガシーＰＤＣＣＨが存在しないＬＴＥリリース１１以降で定義できる新しい搬送波に大別して決定されてもよい。
【０１０１】
新しい搬送波の場合、既存制御チャネルが伝送されないとの前提下で、開始ＯＦＤＭシンボルが下りリンク帯域幅に関係なく最初のＯＦＤＭシンボルに決定されてよい。又は、端末特定又はセル特定上位層シグナリングにより、
【化３５】
0005745182.tif 000049
の場合はＯＦＤＭシンボル＃０、＃１、＃２、＃３のいずれか一つの値に、
【化３６】
0005745182.tif 000050
の場合はＯＦＤＭシンボル＃０、＃２、＃３、＃４のいずれか一つの値に設定されてもよい。
【０１０２】
後方互換搬送波の場合、システム帯域幅、サブフレームタイプによって決定されるレガシーＰＤＣＣＨの最大サイズを考慮して、下記の表１０のように設定されるとよい。
【０１０３】
【表１０】
0005745182.tif 000051
【０１０４】
実施例３
【０１０５】
Ｅ−ＰＤＣＣＨ開始シンボルが、後方互換搬送波の場合は、レガシーＰＤＣＣＨのサイズから決定され、新しい搬送波タイプの場合は、ＯＦＤＭシンボルインデックス＃０に固定されたり、又は上位層設定により決定されるようにしてもよい。すなわち、上記の実施例２では、後方互換搬送波がレガシーＰＤＣＣＨの最大サイズを考慮して決定されるのと違い、毎サブフレームごとにレガシーＰＤＣＣＨの実際サイズを考慮して開始ＯＦＤＭシンボルを決定してもよい。そのために、端末は、ＰＨＩＣＨ持続区間及びＰＣＦＩＣＨによってレガシーＰＤＣＣＨサイズに関する情報を得ると、それに基づいて、Ｅ−ＰＤＣＣＨ開始シンボルを、最後のレガシーＰＤＣＣＨ伝送ＯＦＤＭシンボルに続くＯＦＤＭシンボルに設定すればよい。
【０１０６】
実施例４
【０１０７】
Ｅ−ＰＤＣＣＨの開始ＯＦＤＭシンボルを設定するための新しいＣＦＩ（以下では、レガシーＰＤＣＣＨのＣＦＩと区別するためにＥ−ＣＦＩと呼ぶ）を定義し、これを、新しい下りリンクチャネルであるＥ−ＰＣＦＩＣＨを通じて伝送してもよい。
このようなＥ−ＰＣＦＩＣＨは、レガシーＰＤＣＣＨの固定された位置（特定ＣＣＥ、例えば、ＣＣＥ  ｉｎｄｅｘ  ＃０〜ＣＣＥ  ｉｎｄｅｘ  ＃７までの８ＣＣＥｓ又はレガシーＰＤＣＣＨの最後の８ＣＣＥｓなど）を通じて伝送されてよい。又は、Ｅ−ＰＣＦＩＣＨ  ＲＮＴＩを新しく定義し、当該Ｅ−ＰＣＦＩＣＨ  ＲＮＴＩでＣＲＣがスクランブリングされたＤＣＩをレガシーＰＤＣＣＨのＣＳＳ領域上で伝送することによって、端末がブラインド復号により当該Ｅ−ＰＣＦＩＣＨを受信するようにしてもよい。又は、ＰＤＳＣＨ領域の特定ＲＢを通じて当該Ｅ−ＰＣＦＩＣＨを伝送するように定義してもよい。例えば、全体下りリンク帯域幅の両端（ｅｄｇｅ）に存在する２個のＰＲＢを通じてＥ−ＰＣＦＩＣＨが伝送されるようにするとよい。さらに、Ｅ−ＰＣＦＩＣＨを通じて、基地局は、Ｅ−ＰＤＣＣＨの開始シンボルに加えて、Ｅ−ＰＤＣＣＨのＣＳＳに関するＲＢ割当情報又は分散型（ｄｉｓｔｒｉｂｕｔｅｄ）Ｅ−ＰＤＣＣＨに関するＲＢ割当情報を伝送してもよい。
【０１０８】
このように伝送されるＥ−ＰＣＦＩＣＨを用いて、基地局がＥ−ＰＤＣＣＨの開始ＯＦＤＭシンボル（「ｓｔａｒｔＯＦＤｍｓｙｍｂｏｌ」）を上記の表７のように設定するようにしてもよい。
【０１０９】
実施例５
【０１１０】
Ｅ−ＰＤＣＣＨ領域においてＵＳＳに加えてＣＳＳもＥ−ＰＤＣＣＨリソース領域で設定される場合、当該Ｅ−ＰＤＣＣＨ  ＣＳＳの開始ＯＦＤＭシンボルに対する設定は、上位層設定による曖昧さ（ａｍｂｉｇｕｉｔｙ）が存在しないように固定させることが好ましい。そのため、本発明では、Ｅ−ＰＤＣＣＨの開始ＯＦＤＭシンボルの設定のために、Ｅ−ＰＤＣＣＨ  ＣＳＳ領域及びＥ−ＰＤＣＣＨ  ＵＳＳ領域においてそれぞれ個別に／別途に開始ＯＦＤＭシンボルを定義することを提案する。換言すれば、ＣＳＳが伝送され得る一つ以上のＲＢペア（ＰＲＢペアもＶＲＢペアも可能）における開始ＯＦＤＭシンボルと、ＵＳＳが伝送され得る一つ以上のＲＢペアにおける開始ＯＦＤＭシンボルをそれぞれ設定する。
【０１１１】
ＣＳＳが伝送され得る一つ以上のＲＢペアにおいて開始ＯＦＤＭシンボルは、固定した値を有してよい。これは、特に、後方互換搬送波において既存の制御チャネルが占めるＯＦＤＭシンボルが可変することを考慮したものである。固定した値の例示として、開始ＯＦＤＭシンボルを４番目のＯＦＤＭシンボルに設定してもよく、又は実施例２における表１０のように、サブフレームタイプによって固定した値を有するようにしてもよい。
【０１１２】
ＵＳＳが伝送され得る一つ以上のＲＢペアにおいて開始ＯＦＤＭシンボルは、上述した実施例１乃至４のいずれかによって決定されたものであってよい。
【０１１３】
上述した実施例５の例示を、図１１を参照して説明する。図１１では、４個の（Ｐ）ＲＢのいずれか１個の（Ｐ）ＲＢペアがＣＳＳのために、３個の（Ｐ）ＲＢペアがＵＳＳのために用いられるとしている。そして、図１１で、ＣＳＳを含むＥ−ＰＤＣＣＨリソース領域１１０１の開始ＯＦＤＭシンボルは４番目ＯＦＤＭシンボルであり、ＵＳＳを含むＥ−ＰＤＣＣＨリソース領域１１０３の開始ＯＦＤＭシンボルは３番目ＯＦＤＭシンボルであるとしている。ここで、ＵＳＳを含むＥ−ＰＤＣＣＨリソース領域１１０３の開始ＯＦＤＭシンボルは、前述した実施例１における表８に従うものを例示している。図１１では、ＣＳＳ、ＵＳＳが含まれるリソース領域の開始ＯＦＤＭシンボルが互いに異なるように設定されているが、前述の各実施例の具体的な適用によって同一に設定されてもよい。
【０１１４】
図１２は、本発明に係る基地局装置及び端末装置の構成を示す図である。
【０１１５】
図１２を参照すると、本発明に係る基地局装置１２１０は、受信モジュール１２１１、伝送モジュール１２１２、プロセッサ１２１３、メモリー１２１４及び複数個のアンテナ１２１５を備えている。複数個のアンテナ１２１５は、ＭＩＭＯ送受信を支援する基地局装置を意味する。受信モジュール１２１１は、端末からの上りリンク上の各種信号、データ及び情報を受信できる。伝送モジュール１２１２は、端末への下りリンク上の各種信号、データ及び情報を伝送できる。プロセッサ１２１３は、基地局装置１２１０全般の動作を制御でき、上述した本発明の実施例を具現するように動作できる。
【０１１６】
基地局装置１２１０のプロセッサ１２１３は、その他にも、基地局装置１２１０が受信した情報、外部に伝送する情報などを演算処理する機能を担い、メモリー１２１４は、演算処理された情報などを所定時間保存でき、バッファー（図示せず）などの構成要素に置き換えられてもよい。
【０１１７】
次に、図１２を参照すると、本発明に係る端末装置１２２０は、受信モジュール１２２１、伝送モジュール１２２２、プロセッサ１２２３、メモリー１２２４及び複数個のアンテナ１２２５を備えている。複数個のアンテナ１２２５は、ＭＩＭＯ送受信を支援する端末装置を意味する。受信モジュール１２２１は、基地局からの下りリンク上の各種信号、データ及び情報を受信できる。伝送モジュール１２２２は、基地局への上りリンク上の各種信号、データ及び情報を伝送できる。プロセッサ１２２３は、端末装置１２２０全般の動作を制御でき、上述した本発明の実施例を具現するように動作できる。
【０１１８】
端末装置１２２０のプロセッサ１２２３は、その他にも、端末装置１２２０が受信した情報、外部に伝送する情報などを演算処理する機能を担い、メモリー１２２４は、演算処理された情報などを所定時間保存でき、バッファー（図示せず）などの構成要素に置き換えられてもよい。
【０１１９】
上記のような基地局装置及び端末装置の具体的な構成は、前述した本発明の様々な実施例で説明した事項が独立して適用されたり、又は２つ以上の実施例が同時に適用されるようにすればよく、重複する内容は明確性のために説明を省略する。
【０１２０】
また、図１２の説明において、基地局装置１２１０についての説明は、下り伝送主体又は上り受信主体としての装置にも同一に適用可能であり、端末装置１２２０についての説明は、下り受信主体又は上り伝送主体としてのリレー装置にも同一に適用可能である。
【０１２１】
以上の本発明の実施例は、様々な手段、例えば、ハードウェア、ファームウェア（ｆｉｒｍｗａｒｅ）、ソフトウェア又はそれらの結合などにより具現可能である。
【０１２２】
ハードウェアによる実現の場合に、本発明の実施例に係る方法は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより実施されるとよい。
【０１２３】
ファームウェアやソフトウェアによる具現の場合に、本発明の実施例に係る方法は、以上で説明された機能又は動作を行うモジュール、手順、関数などの形態で具現されるとよい。ソフトウェアコードは、メモリユニットに記憶されて、プロセッサにより駆動されるとよい。メモリユニットは、プロセッサの内部又は外部に設けられ、既に公知の様々な手段によりプロセッサとデータを授受すればよい。
【０１２４】
以上開示された本発明の好ましい実施例についての詳細な説明は、当業者が本発明を具現して実施できるように提供された。以上では本発明の好適な実施例を参照して説明したが、当該技術の分野における熟練した当業者に理解されるように、本発明の領域から逸脱しない範囲内で本発明を様々に修正及び変更可能である。例えば、当業者は、上記の実施例に記載された各構成を互いに組み合わせる方式で用いてもよい。したがって、本発明は、ここに開示されている実施形態に制限されるものではなく、ここに開示されている原理及び新規な特徴と一致する最も広い範囲を与えるためのものである。
【０１２５】
本発明は、本発明の精神及び必須特徴から逸脱することなく、他の特定の形態に具体化されてもよい。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を有するものである。また、特許請求の範囲で明示的な引用関係を有しない請求項を結合して実施例を構成してもよく、出願後の補正により新しい請求項として含めてもよい。
【産業上の利用可能性】
【０１２６】
上述の説明では、本発明を３ＧＰＰ  ＬＴＥ系列の移動通信システムに適用される形態を中心にして説明したが、本発明は、様々な無線通信システムに同一又は均等な原理で利用されてもよい。
【図１０（ａ）】
0005745182.tif 000052
【図１０（ｂ）】
0005745182.tif 000053
【図１０（ｃ）】
0005745182.tif 000054
【図１０（ｄ）】
0005745182.tif 000055
【図１】
0005745182.tif 000056
【図２】
0005745182.tif 000057
【図３】
0005745182.tif 000058
【図４】
0005745182.tif 000059
【図５】
0005745182.tif 000060
【図６】
0005745182.tif 000061
【図７】
0005745182.tif 000062
【図８】
0005745182.tif 000063
【図９】
0005745182.tif 000064
【図１１】
0005745182.tif 000065
【図１２】
0005745182.tif 000066